(57)【特許請求の範囲】
【請求項１】
複数の処理の各々について、各処理とシンボル画像との対応を示す第１対応情報と、各処理と説明画像との対応を示す第２対応情報とを記憶する記憶部と、
画像を表示する表示部と、
前記複数の処理に対応するシンボル画像を、前記表示部に表示させる第１表示制御手段と、
操作入力を受付ける操作入力受付部と、
前記操作入力受付部が受付けた操作入力が、前記表示部が表示するシンボル画像に対応する複数の処理のいずれかを指定する操作入力である場合に、該操作入力が指定した処理を実行する処理実行部と、
可搬表示装置との間を通信可能に接続する接続部と、
前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、
前記表示情報を送信する条件である送信条件の成立を判断する条件判断手段と、
前記対応画像の複数の特徴のいずれかを選択する特徴選択手段と、
を備え、
前記第２表示制御手段は、前記送信条件が成立すると前記条件判断手段が判断した場合に、前記接続部が接続している前記可搬表示装置へ前記表示情報を送信するものであって、前記接続部が接続した前記可搬表示装置へ、前記特徴選択手段が選択した特徴を持つ対応画像を該可搬表示装置に表示させるための表示情報を送信する情報処理装置。
【請求項２】
前記第１表示制御手段は、前記特徴選択手段が選択した特徴に対応する表示態様で、前記表示部に複数の前記シンボル画像を表示させる請求項１記載の情報処理装置。
【請求項３】
前記接続部が接続した前記可搬表示装置が送信した表示装置情報を受信する表示装置情報受信手段を備え、
前記特徴選択手段は、前記表示装置情報受信手段が前記表示装置情報を受信した場合に、前記表示装置情報に基づいて前記対応画像の複数の特徴のいずれかを選択する請求項１または２に記載の情報処理装置。
【請求項４】
前記条件判断手段は、前記表示装置情報受信手段が前記表示装置情報を受信した場合に、前記送信条件が成立すると判断する請求項１から３のいずれかに記載の情報処理装置。
【請求項５】
前記第１表示制御手段は、前記送信条件が成立すると前記条件判断手段が判断した場合に、前記特徴選択手段が選択した特徴に対応する表示態様で、前記表示部に複数の前記シンボル画像を表示させる請求項４に記載の情報処理装置。
【請求項６】
前記操作入力受付部が受付けた操作入力が、前記対応画像の複数の特徴のいずれかを指定する操作入力である場合に、該操作入力が指定した特徴を示す特徴情報を特徴情報記憶部に記憶させる特徴情報記憶制御手段を備え、
前記特徴選択手段は、前記送信条件が成立すると前記条件判断手段が判断した場合に、前記対応画像の複数の特徴のうち、前記特徴情報が示す特徴を選択し、
前記第２表示制御手段は、前記送信条件が成立すると前記条件判断手段が判断した場合に、前記接続部が接続している前記可搬表示装置へ前記特徴選択手段が選択した特徴を持つ対応画像を該可搬表示装置に表示させるための表示情報を送信する請求項１から５のいずれかに記載の情報処理装置。
【請求項７】
前記第１表示制御手段は、前記操作入力受付部が受付けた操作入力が、前記対応画像の複数の特徴のいずれかを指定する操作入力である場合に、該操作入力が指定する特徴に対応する表示態様で、前記表示部に複数の前記シンボル画像を表示させる請求項６記載の情報処理装置。
【請求項８】
前記可搬表示装置は、
前記第２表示制御手段により前記情報処理装置から送られてくる前記表示情報に対応する画像光をユーザの眼に投射して、当該ユーザに、前記対応画像を視認させるものである請求項１から７のいずれかに記載の情報処理装置。
【請求項９】
複数の処理の各々について、各処理とシンボル画像との対応を示す第１対応情報と、各処理と説明画像との対応を示す第２対応情報とを記憶する記憶部と、
画像を表示する表示部と、
前記複数の処理に対応するシンボル画像を、前記表示部に表示させる第１表示制御手段と、
操作入力を受付ける操作入力受付部と、
前記操作入力受付部が受付けた操作入力が、前記表示部が表示するシンボル画像に対応する複数の処理のいずれかを指定する操作入力である場合に、該操作入力が指定した処理を実行する処理実行部と、
可搬表示装置との間を通信可能に接続する接続部と、
前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、
前記表示情報を送信する条件である送信条件の成立を判断する条件判断手段と、
を備え、
前記第１表示制御手段は、
複数のシンボル画像を含むアイコン選択画像を、前記表示部に表示するものであり、
前記第２表示制御手段は、前記送信条件が成立すると前記条件判断手段が判断した場合に、前記接続部が接続している前記可搬表示装置へ前記表示情報を送信するものであって、前記アイコン選択画像よりも大きいサイズの前記対応画像を、前記可搬表示装置に表示させる情報処理装置。
【請求項１０】
前記対応画像の複数の特徴のいずれかを選択する特徴選択手段を備え、
前記第２表示制御手段は、前記接続部が接続した前記可搬表示装置へ、前記特徴選択手段が選択した特徴を持つ対応画像を該可搬表示装置に表示させるための表示情報を送信する請求項９記載の情報処理装置。
【請求項１１】
前記第２表示制御手段は、
前記第１表示制御手段が前記表示部に表示させるシンボル画像の色と該シンボル画像に対応する処理の説明画像との対応を示す前記対応画像を、前記可搬表示装置に表示させるための表示情報を送信する請求項１から１０のいずれかに記載の情報処理装置。
【請求項１２】
前記第２表示制御手段は、
前記対応画像が含む前記説明画像の配置が、各説明画像に対応した処理に対応するシンボル画像の前記表示部における配置を示したものとなるように、前記説明画像を配置した前記対応画像を、前記可搬表示装置に表示させるための表示情報を送信する請求項１から１１のいずれかに記載の情報処理装置。
【請求項１３】
前記第１表示制御手段は、
前記シンボル画像に対応する処理を表す文字列を、各シンボル画像に対応付けて、前記表示部に表示するものであり、
前記第２表示制御手段は、
前記説明画像に含まれる文字列の文字数が、前記表示部に表示させる文字列の文字数以上である関係が、各処理について成立するように、文字列を含んで構成した前記説明画像を、前記対応画像に含めて表示させるための表示情報を送信する請求項１から１２のいずれかに記載の情報処理装置。
【請求項１４】
前記第２表示制御手段は、
前記シンボル画像よりも詳細な画像で構成した前記説明画像を、前記対応画像に含めて表示させるための表示情報を送信する請求項１から１３のいずれかに記載の情報処理装置。
【請求項１５】
情報処理装置が実行する情報処理プログラムであって、
前記情報処理装置は、
複数の処理の各々について、各処理とシンボル画像との対応を示す第１対応情報と、各処理と説明画像との対応を示す第２対応情報とを記憶する記憶部と、
画像を表示する表示部と、
操作入力を受付ける操作入力受付部と、
前記操作入力受付部が受付けた操作入力が、前記表示部が表示するシンボル画像に対応する複数の処理のいずれかを指定する操作入力である場合に、該操作入力が指定した処理を実行する処理実行部と、
可搬表示装置との間を通信可能に接続する接続部と、を備え、
前記情報処理装置を、
前記複数の処理に対応するシンボル画像を、前記表示部に表示させる第１表示制御手段と、
前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、
前記表示情報を送信する条件である送信条件の成立を判断する条件判断手段と、
前記対応画像の複数の特徴のいずれかを選択する特徴選択手段として、
機能させるものであり、
前記第２表示制御手段は、前記送信条件が成立すると前記条件判断手段が判断した場合に、前記接続部が接続している前記可搬表示装置へ前記表示情報を送信するものであって、前記接続部が接続した前記可搬表示装置へ、前記特徴選択手段が選択した特徴を持つ対応画像を該可搬表示装置に表示させるための表示情報を送信する情報処理プログラム。
【請求項１６】
情報処理装置が実行する情報処理プログラムであって、
前記情報処理装置は、
複数の処理の各々について、各処理とシンボル画像との対応を示す第１対応情報と、各処理と説明画像との対応を示す第２対応情報とを記憶する記憶部と、
画像を表示する表示部と、
操作入力を受付ける操作入力受付部と、
前記操作入力受付部が受付けた操作入力が、前記表示部が表示するシンボル画像に対応する複数の処理のいずれかを指定する操作入力である場合に、該操作入力が指定した処理を実行する処理実行部と、
可搬表示装置との間を通信可能に接続する接続部と、を備え、
前記情報処理装置を、
前記複数の処理に対応するシンボル画像を、前記表示部に表示させる第１表示制御手段と、
前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、
前記表示情報を送信する条件である送信条件の成立を判断する条件判断手段として、機能させるものであり、
前記第１表示制御手段は、
複数のシンボル画像を含むアイコン選択画像を、前記表示部に表示するものであり、
前記第２表示制御手段は、前記送信条件が成立すると前記条件判断手段が判断した場合に、前記接続部が接続している前記可搬表示装置へ前記表示情報を送信するものであって、前記アイコン選択画像よりも大きいサイズの前記対応画像を、前記可搬表示装置に表示させる情報処理プログラム。
【請求項１７】
情報処理装置と可搬表示装置とを含む情報処理システムであって、
前記情報処理装置は、
複数の処理の各々について、各処理とシンボル画像との対応を示す第１対応情報と、各処理と説明画像との対応を示す第２対応情報とを記憶する記憶部と、
画像を表示する表示部と、
前記複数の処理に対応するシンボル画像を、前記表示部に表示させる第１表示制御手段と、
操作入力を受付ける操作入力受付部と、
前記操作入力受付部が受付けた操作入力が、前記表示部が表示するシンボル画像に対応する複数の処理のいずれかを指定する操作入力である場合に、該操作入力が指定した処理を実行する処理実行部と、
前記可搬表示装置との間を通信可能に接続する接続部と、
前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、
前記表示情報を送信する条件である送信条件の成立を判断する条件判断手段と、
前記対応画像の複数の特徴のいずれかを選択する特徴選択手段と、
を備え、
前記第２表示制御手段は、前記送信条件が成立すると前記条件判断手段が判断した場合に、前記接続部が接続している前記可搬表示装置へ前記表示情報を送信するものであって、前記接続部が接続した前記可搬表示装置へ、前記特徴選択手段が選択した特徴を持つ対応画像を該可搬表示装置に表示させるための表示情報を送信し、
前記可搬表示装置は、
前記第２表示制御手段により前記情報処理装置から送られてくる前記表示情報を用いて、前記対応画像を表示する表示実行手段を備える、情報処理システム。
【請求項１８】
情報処理装置と可搬表示装置とを含む情報処理システムであって、
前記情報処理装置は、
複数の処理の各々について、各処理とシンボル画像との対応を示す第１対応情報と、各処理と説明画像との対応を示す第２対応情報とを記憶する記憶部と、
画像を表示する表示部と、
前記複数の処理に対応するシンボル画像を、前記表示部に表示させる第１表示制御手段と、
操作入力を受付ける操作入力受付部と、
前記操作入力受付部が受付けた操作入力が、前記表示部が表示するシンボル画像に対応する複数の処理のいずれかを指定する操作入力である場合に、該操作入力が指定した処理を実行する処理実行部と、
前記可搬表示装置との間を通信可能に接続する接続部と、
前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、
前記表示情報を送信する条件である送信条件の成立を判断する条件判断手段と、
を備え、
前記第１表示制御手段は、
複数のシンボル画像を含むアイコン選択画像を、前記表示部に表示するものであり、
前記第２表示制御手段は、前記送信条件が成立すると前記条件判断手段が判断した場合に、前記接続部が接続している前記可搬表示装置へ前記表示情報を送信するものであって、前記アイコン選択画像よりも大きいサイズの前記対応画像を、前記可搬表示装置に表示させるものであり、
前記可搬表示装置は、
前記第２表示制御手段により前記情報処理装置から送られてくる前記表示情報を用いて、前記対応画像を表示する表示実行手段を備える、情報処理システム。
【発明の詳細な説明】
【技術分野】
【０００１】
本発明は、情報処理装置、情報処理プログラムおよび情報処理システムに関する。
【背景技術】
【０００２】
電子機器が実行する処理の内容を示すアイコンを電子機器が備える操作部に、もしくは操作部の近くに表示しておき、アイコンが表示されている操作部、もしくは、アイコンの近くにある操作部を操作するとアイコンが示す処理が実行されることを、電子機器のユーザに知らせるという技術は従来から存在する。ここで、アイコンが大きすぎると、電子機器の表示部のサイズを大きくする必要が出てくるため、電子機器の設計上不利になる。そのため、アイコンの大きさはある程度に制限される。
【０００３】
また、特許文献１には、ユーザの頭部に装着されるヘッドマウントディスプレイにより、仮想操作パネルを表示させ、その表示された仮想操作パネルにおけるユーザの指の位置やその動作を検出することによって、仮想操作パネルの操作位置に対応した入力を行う技術が開示されている。
【先行技術文献】
【特許文献】
【０００４】
【特許文献１】特開２０１０−１３９７１１号公報
【発明の概要】
【発明が解決しようとする課題】
【０００５】
しかしながら、上記の従来技術のうち、電子機器などに設けられた現実の表示部にアイコンを表示する場合、アイコンの大きさが制限されるため、処理の内容をユーザに十分に伝えきれないという課題が発生する。特に、電子機器の多機能化や高機能化に伴い、複数のユーザが電子機器を共有する使用形態が増えてくると、この課題が顕著になる。すなわち、ユーザによってアイコンの見易さが異なるにも関わらず、従来技術では、最大公約数的にアイコンの大きさを決定せざるをえない。このため、アイコンを小さめに設定すると、処理の内容が伝わらないユーザが増えることになり、アイコンを大きめに設定すると、１画面に表示できるアイコンが少なくなり、深すぎる階層メニューとせざるを得ず、ユーザビリティが低くなるという課題が発生する。また、アイコンを大きく表示するために表示部のサイズを大きくすると、コスト高になるという課題が発生する。
【０００６】
また、電子機器の多機能化や高機能化に伴い、アイコンによって処理の内容を図示しても、その内容をユーザに十分に伝えることが困難になる場合がある。すなわち、ユーザにとっては、知らない機能が多く処理の内容が直感的に分かり難い、アイコンを見ても他の処理と混同してしまうおそれがある、という問題点があった。処理の内容を伝えるにはアイコンを大きく設計して文字情報を多く表示する必要が出てくるが、この場合にも上記課題が顕著になる。すなわち、アイコンの大きさを大きくする、または、文字情報を多く表示するために表示部のサイズを大きくするとコスト高になり、一方で、表示部のサイズが小さいままだと、１画面に表示できるアイコンが少なくなり、深すぎる階層メニューとせざるを得ず、ユーザビリティが低くなるという課題が発生する。
【０００７】
本発明は、上記の問題点を解決するためになされたものであり、表示部における表示では、シンボル画像に対応する処理をユーザに把握させることが困難な場合であっても、シンボル画像に対応する処理の説明をユーザに好適に示すことができる情報処理装置、情報処理プログラム、および情報処理システムを提供することを目的とする。
【課題を解決するための手段】
【０００８】
この目的を達成するために、本発明の情報処理装置は、複数の処理の各々について、各処理とシンボル画像との対応を示す第１対応情報と、各処理と説明画像との対応を示す第２対応情報とを記憶する記憶部と、画像を表示する表示部と、前記複数の処理に対応するシンボル画像を、前記表示部に表示させる第１表示制御手段と、操作入力を受付ける操作入力受付部と、前記操作入力受付部が受付けた操作入力が、前記表示部が表示するシンボル画像に対応する複数の処理のいずれかを指定する操作入力である場合に、該操作入力が指定した処理を実行する処理実行部と、可搬表示装置との間を通信可能に接続する接続部と、前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、前記表示情報を送信する条件である送信条件の成立を判断する条件判断手段と、前記対応画像の複数の特徴のいずれかを選択する特徴選択手段と、を備え、前記第２表示制御手段は、前記送信条件が成立すると前記条件判断手段が判断した場合に、前記接続部が接続している前記可搬表示装置へ前記表示情報を送信するものであって、前記接続部が接続した前記可搬表示装置へ、前記特徴選択手段が選択した特徴を持つ対応画像を該可搬表示装置に表示させるための表示情報を送信する。
または、複数の処理の各々について、各処理とシンボル画像との対応を示す第１対応情報と、各処理と説明画像との対応を示す第２対応情報とを記憶する記憶部と、画像を表示する表示部と、前記複数の処理に対応するシンボル画像を、前記表示部に表示させる第１表示制御手段と、操作入力を受付ける操作入力受付部と、前記操作入力受付部が受付けた操作入力が、前記表示部が表示するシンボル画像に対応する複数の処理のいずれかを指定する操作入力である場合に、該操作入力が指定した処理を実行する処理実行部と、可搬表示装置との間を通信可能に接続する接続部と、前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、前記表示情報を送信する条件である送信条件の成立を判断する条件判断手段と、を備え、前記第１表示制御手段は、複数のシンボル画像を含むアイコン選択画像を、前記表示部に表示するものであり、前記第２表示制御手段は、前記送信条件が成立すると前記条件判断手段が判断した場合に、前記接続部が接続している前記可搬表示装置へ前記表示情報を送信するものであって、前記アイコン選択画像よりも大きいサイズの前記対応画像を、前記可搬表示装置に表示させる。
【０００９】
なお、本発明は、情報処理装置を制御する制御装置、情報処理方法、情報処理装置と可搬表示装置とを含む情報処理システム、情報処理プログラム、該プログラムを記録する記録媒体等の種々の態様で実現可能である。
【発明の効果】
【００１０】
請求項１記載の情報処理装置によれば、送信条件が成立する場合、表示部に表示させるシンボル画像と該シンボル画像に対応する処理の説明画像との対応を示す対応画像を、可搬表示装置に表示させる。よって、表示部における表示では、シンボル画像に対応する処理をユーザに把握させることが困難な場合であっても、可搬表示装置に表示させる対応画像によって、シンボル画像に対応する処理の説明をユーザに好適に示すことができるという効果がある。
【００１１】
また、選択された特徴を持つ対応画像によって、シンボル画像に対応する処理の説明をユーザに示すことができるという効果がある。
【００１２】
請求項２記載の情報処理装置によれば、請求項１記載の情報処理装置の奏する効果に加え、選択された特徴に対応する表示態様で、表示部にシンボル画像を表示させるので、対応画像によってシンボル画像に対応する処理を把握したユーザが、表示部において、所望の処理に対応したシンボル画像を容易に選択できるという効果がある。
【００１３】
請求項３記載の情報処理装置によれば、請求項１または２に記載の情報処理装置の奏する効果に加え、可搬表示装置が送信した表示装置情報に基づいて選択された特徴を持つ対応画像によって、シンボル画像に対応する処理の説明をユーザに示すことができるという効果がある。
【００１４】
請求項４記載の情報処理装置によれば、請求項１から３のいずれかに記載の情報処理装置の奏する効果に加え、表示装置情報を受信した場合に送信条件が成立したと判断するので、適切な場合に表示情報を送信できるという効果がある。
【００１５】
請求項５記載の情報処理装置によれば、請求項４記載の情報処理装置の奏する効果に加え、可搬表示装置が送信した表示装置情報に基づいて選択した特徴に対応する表示態様で、表示部に複数のシンボル画像を表示させるので、対応画像によってシンボル画像に対応する処理を把握したユーザが、表示部において所望の処理に対応するシンボル画像を容易に選択できるという効果がある。
【００１６】
請求項６記載の情報処理装置によれば、請求項１から５のいずれかに記載の情報処理装置の奏する効果に加え、対応画像の複数の特徴のいずれかを指定する操作入力を受け付けた場合、その選択した特徴を持つ対応画像を可搬表示装置に表示させることができるので、ユーザが所望する特徴を持つ対応画像を、ユーザに視認させることができるという効果がある。
【００１７】
請求項７記載の情報処理装置によれば、請求項６記載の情報処理装置の奏する効果に加え、ユーザが所望する特徴を持つ対応画像に対応する表示態様で、表示部にシンボル画像を表示させることができるという効果がある。
請求項８記載の情報処理装置によれば、請求項１から７のいずれかに記載の情報処理装置の奏する効果に加え、可搬表示装置は、前記情報処理装置から送られてくる表示情報に対応する画像光をユーザの眼に投射して、当該ユーザに、前記対応画像を視認させるものであるので、高齢者や弱視力者のユーザに対しても、対応画像を視認させることができるという効果がある。
請求項９記載の情報処理装置によれば、送信条件が成立する場合、表示部に表示させるシンボル画像と該シンボル画像に対応する処理の説明画像との対応を示す対応画像を、可搬表示装置に表示させる。よって、表示部における表示では、シンボル画像に対応する処理をユーザに把握させることが困難な場合であっても、可搬表示装置に表示させる対応画像によって、シンボル画像に対応する処理の説明をユーザに好適に示すことができるという効果がある。
また、表示部に表示されるアイコン選択画像よりも大きいサイズの対応画像を可搬表示装置に表示させるので、高齢者や弱視力者のユーザにとっても見易いように、対応画像を表示させることができるという効果がある。
請求項１０記載の情報処理装置によれば、請求項９記載の情報処理装置の奏する効果に加え、選択された特徴を持つ対応画像によって、シンボル画像に対応する処理の説明をユーザに示すことができるという効果がある。
【００１８】
請求項１１記載の情報処理装置によれば、請求項１から１０のいずれかに記載の情報処理装置の奏する効果に加え、対応画像により、シンボル画像の色と該シンボル画像に対応する処理の説明画像との対応が示されるので、ユーザは、対応画像が示すシンボル画像の色と説明画像との対応を手がかりに、表示部において、所望の処理に対応したシンボル画像を容易に選択できるという効果がある。
【００１９】
請求項１２記載の情報処理装置によれば、請求項１から１１のいずれかに記載の情報処理装置の奏する効果に加え、ユーザは、対応画像が示す説明画像の配置を手がかりに、表示部において、所望の処理に対応したシンボル画像を容易に選択できるという効果がある。
【００２０】
請求項１３記載の情報処理装置によれば、請求項１から１２のいずれかに記載の情報処理装置の奏する効果に加え、説明画像に含まれる文字列の文字数が、表示部に表示させる文字列の文字数以上である関係が、各処理について成立するので、表示部に表示させる文字列よりも詳細に処理を説明した説明画像を、可搬表示装置によりユーザに示すことができるという効果がある。
【００２１】
請求項１４記載の情報処理装置によれば、請求項１から１０のいずれかに記載の情報処理装置の奏する効果に加え、表示部に表示されたシンボル画像よりも詳細な画像で構成した説明画像を、可搬表示装置によりユーザに示すことができるという効果がある。
【００２２】
【００２３】
【００２４】
請求項１５記載の情報処理プログラムによれば、請求項１記載の情報処理装置と同様の効果を奏する。
請求項１６記載の情報処理プログラムによれば、請求項９記載の情報処理装置と同様の効果を奏する。
【００２５】
請求項１７記載の情報処理システムによれば、請求項１記載の情報処理装置と同様の効果を奏する。
請求項１８記載の情報処理システムによれば、請求項９記載の情報処理装置と同様の効果を奏する。
【図面の簡単な説明】
【００２６】
【図１】本発明の第１実施形態であるＭＦＰと、ＨＭＤとを含む情報処理システムの外観を示す図である。
【図２】ＭＦＰとＨＭＤとの電気的構成を模式的に示すブロック図である。
【図３】ＭＦＰのＣＰＵが実行する起動処理を示すフローチャートである。
【図４】ＨＭＤのＣＰＵが実行する対応画像表示処理を示すフローチャートである。
【図５】第２実施形態のＭＦＰのＣＰＵが実行するモード変更処理を示すフローチャートである。
【図６】（ａ）は、色覚異常者向けのアイコン選択画像と対応画像とを示す図であり、（ｂ）は、知的障害者向けのアイコン選択画像と対応画像とを示す図である。
【図７】変形例のアイコン選択画像と対応画像とを示す図である。
【発明を実施するための形態】
【００２７】
以下、本発明の好ましい実施形態について、添付図面を参照して説明する。図１は、本発明の第１実施形態である多機能装置（以下「ＭＦＰ」と称す）１０と、ヘッドマウントディスプレイ（以下、「ＨＭＤ」と称す）３０とを含む情報処理システム１の外観を示す図である。
【００２８】
ＭＦＰ１０は、プリンタ機能、スキャナ機能、コピー機能、ファクシミリ機能などを有する複合機である。図１には、ＭＦＰ１０に設けられた液晶ディスプレイ（以下、「ＬＣＤ」と称す）１８に表示されるアイコン選択画像１８ａの一例を拡大して示す。本実施形態では、複数のアイコン１８ｂを含む画像を、アイコン選択画像１８ａと称する。各アイコン１８ｂには、予め処理が対応付けられており、ＭＦＰ１０は、ユーザによって指定されたアイコン１８ｂに対応する処理を実行する。なお、図１では、各アイコン１８ｂに異なる網掛けを付すことで、各アイコン１８ｂの表示色の違いを表現している。また、アイコン選択画像１８ａには、タイトル１８ｃなど、アイコン１８ｂ以外の要素が含まれていても良い。
【００２９】
本実施形態のＭＦＰ１０は、ＬＣＤ１８における表示だけでは、各アイコン１８ｂに対応する処理をユーザに把握させることが困難な場合であっても、ＨＭＤ３０を利用して、各アイコン１８ｂに対応する処理の説明をユーザに好適に示すことができるように構成されている。
【００３０】
ＨＭＤ３０は、網膜走査ディスプレイであって、ＭＦＰ１０から送られてくる表示情報に対応する画像光をユーザの眼に投射することにより、当該ユーザに画像を視認させる。ＨＭＤ３０は、眼鏡５０等に装着して用いられる。
【００３１】
図１には、ＨＭＤ３０がユーザの視野範囲に投射する対応画像４０の一例を拡大して示す。本実施形態において、対応画像４０は、アイコン４０ａと、説明画像４０ｂとを含み、アイコン選択画像１８ａが含む各アイコン１８ｂの色と、各色のアイコン１８ｂに対応する処理の説明画像４０ｂとの対応を示す。
【００３２】
対応画像４０が含むアイコン４０ａは、アイコン選択画像１８ａが含むアイコン１８ｂと一対一に対応するものであり、対応するアイコン１８ｂと同一色で表示される。ここで同一色とは、ユーザが視認した色を手がかりにして、対応画像４０が含むアイコン４０ａと、アイコン選択画像１８ａが含むアイコン１８ｂとを一対一に対応付けることができる程度に、両者が近い色であることを意味し、測色計などにより、完全に同一の測色値が得られることまでを要求するものではない。
【００３３】
説明画像４０ｂは、アイコン４０ａと対応付けて対応画像４０に配置される文字列であって、対応するアイコン４０ａと同一色のアイコン１８ｂに対応する処理の内容を示す。なお、対応画像４０は、アイコン選択画像１８ａに含まれるタイトル１８ｃと同一の文字列で構成したタイトル４０ｃを含んでいても良い。
【００３４】
本実施形態のＭＦＰ１０によれば、対応画像４０によって、アイコン１８ｂと該アイコン１８ｂに対応する処理の説明画像４０ｂとの対応を示すことができる。したがって、ユーザは、各アイコン１８ｂを操作する場合に、どのような処理が行われることになるのかを的確に把握した上で、ＭＦＰ１０を操作できる。
【００３５】
また、ユーザは、対応画像４０に基づき、所望の処理に対応するアイコン１８ｂの色を確認し、その色を手がかりとして、所望の処理に対応したアイコン１８ｂをアイコン選択画像１８ａにおいて選択できる。したがって、例えば、高齢者や弱視力者など、アイコン選択画像１８ａに表示された文字を判別することが困難なユーザであっても、所望の処理に対応したアイコン１８ｂを選択できる。
【００３６】
なお、本実施形態のＨＭＤ３０は、外光を透過しつつ画像光を投射する、いわゆるシースルー型の網膜ディスプレイであるものとする。よって、ユーザは、ＨＭＤ３０から投射される対応画像４０と外界のアイコン選択画像１８ａとを同時に視認しつつ、アイコン選択画像１８ａを操作できる。
【００３７】
図２は、ＭＦＰ１０とＨＭＤ３０との電気的な構成を模式的に示すブロック図である。
ＭＦＰ１０は、ＣＰＵ１１、ＲＯＭ１２、ＲＡＭ１３、フラッシュメモリ１４、無線通信制御回路１５、アンテナ部１６、操作キー１７、ＬＣＤ１８、タッチパネル１９、プリンタ２０、スキャナ２１、モデム２２、ＮＣＵ２３が設けられる。このうち、ＣＰＵ１１、ＲＯＭ１２、ＲＡＭ１３、フラッシュメモリ１４は、バスライン２５を介して接続される。また、無線通信制御回路１５、操作キー１７、ＬＣＤ１８、タッチパネル１９、プリンタ２０、スキャナ２１、モデム２２、ＮＣＵ２３、バスライン２５は、入出力ポート２４を介して接続されている。
【００３８】
ＣＰＵ１１は、ＲＯＭ１２等に記憶される固定値やプログラム或いは、無線通信２００を介して送受信される各種信号に従って、入出力ポート２４と接続された各部を制御する。ＲＯＭ１２は、書換不能なメモリであって、制御プログラム１２ａを記憶し、アイコン選択画像メモリ１２ｂ、対応情報メモリ１２ｃが設けられる。ＣＰＵ１１は、制御プログラム１２ａに従い、図３を参照して後述する処理などを実行する。アイコン選択画像メモリ１２ｂは、アイコン選択画像１８ａに含まれるタイトル１８ｃを構成するテキストデータ、アイコン１８ｂを描画するための画像データ、説明画像４０ｂを構成するテキストデータ等を記憶する。対応情報メモリ１２ｃは、ＭＦＰ１０が実行する複数種類の処理について、各処理とアイコン１８ｂとの対応を示す第１対応情報と、各処理と説明画像４０ｂとの対応を示す第２対応情報とを記憶する。本実施形態において、第１対応情報は、ＭＦＰ１０が実行する処理を識別するために各処理に付された処理ＩＤと、アイコン１８ｂの画像データを識別するために各画像データに付されたアイコンＩＤとを対応付けて示す情報である。また、第２対応情報は、説明画像４０ｂを構成するテキストデータを識別するために各テキストデータに付されたテキストＩＤと、処理ＩＤとを対応付けて示す情報である。
【００３９】
ＲＡＭ１３は、書換可能な揮発性のメモリであり、選択機能メモリ１３ａが設けられる。選択機能メモリ１３ａは、プリンタ機能、スキャナ機能、コピー機能、ファクシミリ機能のうち、ユーザにより選択された機能を記憶する。ＭＦＰ１０は、選択機能メモリ１３ａが記憶する機能に係る処理を実行する。
【００４０】
フラッシュメモリ１４は、書換可能な不揮発性のメモリであり、モードメモリ１４ａが設けられる。モードメモリ１４ａは、通常モードと支援モードとのうち、ユーザにより選択されたモードを示したモード設定値を記憶する。モードメモリ１４ａが、通常モードを示すモード設定値を記憶する場合、ＭＦＰ１０は、ＨＭＤ３０に対応画像４０を表示させない。一方、モードメモリ１４ａが、支援モードを示すモード設定値を記憶する場合、ＭＦＰ１０は、ＨＭＤ３０に対応画像４０を表示させるために、ＨＭＤ３０に対して表示情報を送信する。
【００４１】
無線通信制御回路１５は、ＩＥＥＥ８０２．１１ｂ/ｇの規格に準拠した無線ＬＡＮにより、無線通信２００を行う回路である。ＭＦＰ１０は、無線通信制御回路１５により、アンテナ部１６を介してＨＭＤ３０との間を通信可能に接続する。操作キー１７は、ＭＦＰ１０に設定値や指示を入力するためのキー群である。ＬＣＤ１８は、上述したアイコン選択画像１８ａを表示する。タッチパネル１９は、ＬＣＤ１８の表示面に重ねて設けられて設けられ、操作入力を受け付ける。ＬＣＤ１８に表示されたアイコン１８ｂをタッチする操作入力をタッチパネル１９により受け付けた場合、ＣＰＵ１１は、該操作入力が指定した処理（すなわち、ユーザがタッチしたアイコン１８ｂに対応する処理）を実行する。
【００４２】
プリンタ２０は用紙に画像を形成する。スキャナ２１は原稿の読み取りを実行し、画データを生成する。モデム２２は、ファクシミリ送信すべき画データを、電話回線網１００に伝送可能な信号に変調してＮＣＵ２３を介して送信し、または、電話回線網１００からＮＣＵ２３を介して入力された信号を画データへ復調する。ＮＣＵ２３は、電話回線網１００とＭＦＰ１０との間を接続するものであり、モデム２２からの指示に従って、回線を閉結または切断することにより、電話回線網１００との間の接続状態を制御する。
【００４３】
ＨＭＤ３０は、ＣＰＵ３１、ＲＯＭ３２、ＲＡＭ３３、フラッシュメモリ３４、無線通信制御回路３６、アンテナ部３７、出射部３８が設けられる。このうち、ＣＰＵ３１、ＲＯＭ３２、ＲＡＭ３３、フラッシュメモリ３４は、バスライン３５を介して接続される。また、無線通信制御回路３６、出射部３８、バスライン３５は、入出力ポート３９を介して接続されている。
【００４４】
ＣＰＵ３１は、ＲＯＭ３２等に記憶される固定値やプログラム或いは、無線通信２００を介して送受信される各種信号に従って、入出力ポート３９と接続された各部を制御する。ＲＯＭ３２は、書換不能なメモリであって、図４を参照して後述する処理などを実行するための制御プログラム３２ａを記憶する。また、ＲＯＭ３２は、ＨＭＤ３０に予め設定された個体識別情報を記憶する個体識別情報メモリ３２ｂを備える。ＲＡＭ３３は、書換可能な揮発性のメモリであり、表示情報メモリ３３ａが設けられる。表示情報メモリ３３ａは、ＭＦＰ１０から受信した表示情報を格納する。フラッシュメモリ３４は、書換可能な不揮発性のメモリである。
【００４５】
無線通信制御回路３６はＭＦＰ１０の無線通信制御回路１５と同様に構成された回路であり、アンテナ部３７を介して、ＭＦＰ１０との間で無線通信２００を形成する。出射部３８は、Ｒ，Ｇ，Ｂの各色の光を発生させるレーザを備え、対応画像４０に対応した画像光をユーザの眼に投射する。なお、ＨＭＤ３０には、出射部３８が出力する画像光をユーザの眼に導く光学部材などが設けられるが、公知の構成であるため、説明を省略する。
【００４６】
図３は、ＭＦＰ１０のＣＰＵ１１が実行する起動処理を示すフローチャートである。起動処理は、ユーザによって予め選択されたモードでＭＦＰ１０を起動する処理であって、ＭＦＰ１０の電源が投入された場合に実行される。
【００４７】
まず、ステップＳ３０２（以下、ステップを省略）において、ＣＰＵ１１は、支援モードで起動するか否かを判断する（Ｓ３０２）。モードメモリ１４ａが、支援モードを示すモード設定値を記憶する場合、または、操作キー１７あるいはタッチパネル１９により支援モードを選択する操作入力を受け付けた場合（Ｓ３０２：Ｙｅｓ）、ＣＰＵ１１は、ＨＭＤ３０との間に無線通信２００を確保する（Ｓ３０４）。
【００４８】
そして、ＣＰＵ１１は、アイコン選択画像１８ａをＬＣＤ１８に表示させる（Ｓ３０６）。ここで表示される複数のアイコン１８ｂは、図１を参照して説明したように、互いに異なる色で表示される。次に、ＣＰＵ１１は、対応画像４０を表示させるための表示情報を、無線通信制御回路１５が接続したＨＭＤ３０へ送信する（Ｓ３０８）。この表示情報は、各アイコン４０ａの色を示す色データ、説明画像４０ｂを構成するテキストデータ、タイトル４０ｃを構成するテキストデータ、対応画像４０を構成する各要素（アイコン４０ａ、説明画像４０ｂ、タイトル４０ｃ）の位置を示したデザイン情報を含む。具体的には、ＣＰＵ１１は、対応情報メモリ１２ｃが記憶する第１対応情報が示すアイコン１８ｂの画像データのＩＤと処理ＩＤとの対応関係に基づいて、ＬＣＤ１８に表示中の各アイコン１８ｂの色を示す色データと、各アイコン１８ｂに対応する処理の処理ＩＤを取得する。次に、ＣＰＵ１１は、対応情報メモリ１２ｃが記憶する第２対応情報が示す説明画像４０ｂのテキストデータのＩＤと処理ＩＤとの対応関係に基づいて、取得した処理ＩＤに対応する説明画像４０ｂのテキストデータを取得する。そして、ＣＰＵ１１は、各アイコン１８ｂの色データ（すなわち、対応画像４０におけるアイコン４０ａの色データ）と、説明画像４０ｂのテキストデータとを、処理ＩＤ毎に対応付け、表示情報に含めてＨＭＤ３０へ送信する。
【００４９】
次に、ＣＰＵ１１は、アイコン１８ｂがタッチされたか否かを判断する（Ｓ３１０）、Ｓ３１０の判断が肯定される場合（Ｓ３１０：Ｙｅｓ）、すなわち、タッチパネル１９が受付けた操作入力が、アイコン１８ｂに対応する処理を指定する操作入力である場合、ＣＰＵ１１は、該操作入力が指定した処理を実行し（Ｓ３１１）、次のアイコン選択画像１８ａを表示する（Ｓ３１２）。例えば、電源投入時の初期画面として、プリンタ機能、スキャン機能、コピー機能、ファクシミリ機能の各機能に対応した複数のアイコン１８ｂを含むアイコン選択画像１８ａを表示している状態において、ユーザが、コピー機能に対応するアイコン１８ｂにタッチした場合、ＣＰＵ１１は、機能選択メモリ１３ａにコピー機能を記憶させ（Ｓ３１１）、次に、コピー機能に関する次のアイコン選択画像１８ａをＬＣＤ１８に表示させる（Ｓ３１２）。
【００５０】
次に、ＣＰＵ１１は、Ｓ３０８に戻り処理を繰り返す。すなわち、ＬＣＤ１８において画面が遷移する毎に、遷移後のアイコン選択画像１８ａに対応した対応画像４０を表示させるための表示情報を、ＨＭＤ３０に送信する。
【００５１】
一方、アイコン１８ｂがタッチされない場合（３１０：Ｎｏ）、ＣＰＵ１１は、起動処理を終了する。なお、ＭＦＰ１０は、支援モードで起動された場合、起動処理終了後においても、ＨＭＤ３０との接続を継続し、ＬＣＤ１８において画面が遷移する毎に、遷移後のアイコン選択画像１８ａに対応した対応画像４０を表示させるための表示情報を生成し、ＨＭＤ３０に送信する。
【００５２】
一方、ＭＦＰ１０の起動時において、モードメモリ１４ａが、通常モードを示すモード設定値を記憶する場合（Ｓ３０２：Ｎｏ）、ＣＰＵ１１は、通常モードのアイコン選択画像１８ａをＬＣＤ１８に表示させ（Ｓ３０３）、処理を終了する。すなわち、対応画像４０をＨＭＤ３０に表示させるための処理を行わない。なお、図１を参照して説明したように、支援モードのアイコン選択画像１８ａにおいては、高齢者や弱視力者であっても各アイコン１８ｂを識別できるように、複数のアイコン１８ｂを互いに異なる色で表示していた。しかしながら、通常の視力を有する者の場合、各アイコン１８ｂに付された文字（図１参照）を視認することで、各アイコン１８ｂを識別できる。よって、通常モードのアイコン選択画像１８ａにおいては、複数のアイコン１８ｂを同一色で表示しても良い。
【００５３】
起動処理によれば、支援モードを示すモード設定値が、モードメモリ１４ａに記憶されていると判断した場合に、ＭＦＰ１０からＨＭＤ３０へ表示情報を送信する。したがって、高齢者や弱視者のユーザによるＭＦＰ１０の使用が想定される場合に、ＨＭＤ３０に対応画像４０を表示させることができる。
【００５４】
図４は、ＨＭＤ３０のＣＰＵ３１が実行する対応画像表示処理を示すフローチャートである。なお、この対応画像表示処理を開始する前に、ＨＭＤ３０は、ＭＦＰ１０との間の無線通信２００を確保しているものとする。
【００５５】
まず、ＣＰＵ３１は、ＭＦＰ１０から表示情報を受信し、表示情報メモリ３３ａに格納する（Ｓ４０２）。上述したように、表示情報は、各アイコン４０ａの色を示す色データ、説明画像４０ｂを構成するテキストデータ、タイトル４０ｃを構成するテキストデータ、対応画像４０を構成する各要素の配置を示すデザイン情報を含む。よって、ＣＰＵ３１は、表示情報を用いて、アイコン１８ｂと同じ色のアイコン４０ａと、アイコン１８ｂに対応する処理を示す説明画像４０ｂとを、アイコン１８ｂ毎に関連付けて、デザイン情報で指定される位置に配置した対応画像４０の画像データを生成し、出射部３８に供給する。出力部３８は、画像データに基づいて生成した画像光をユーザの目に投射し、ユーザに対応画像４０を視認させる（Ｓ４０４）。そして、ＣＵＰ３１は、Ｓ４０２に戻り、処理を繰り返す。
【００５６】
第１実施形態のＭＦＰ１０によれば、ＬＣＤ１８における表示のみでは、アイコン１８ｂに対応する処理をユーザに把握させることが困難な場合であっても、対応画像４０によって、アイコン１８ｂに対応する処理の説明をユーザに好適に示すことができる。すなわち、ＬＣＤ１８では、表示可能なアイコン１８ｂの大きさに制限があるために、処理の説明をユーザに十分に伝えきれないおそれがあるが、本実施形態のＭＦＰ１０によれば、対応画像４０により、十分な説明をユーザに示すことができる。また、本実施形態のＭＦＰ１０によれば、ＬＣＤ１８において、処理の内容を詳細に示す必要がないので、アイコン選択画像１８ａには、アイコン１８ｂなど必要な要素を大きく表示でき、操作性を向上できる。
【００５７】
また、ＨＭＤ３０は、その調整によって目の悪い人であっても対応画像４０を視認させることができるので、高齢者や弱視力者のユーザに対しても、対応画像４０を視認させることができる。
【００５８】
また、ユーザは、複数のアイコン１８ｂをその色によって識別できるので、高齢者や弱視力者であっても、アイコン選択画像１８ａに含まれる複数のアイコン１８ｂを容易に識別でき、ＬＣＤ１８のサイズがそれほど大きくなくても、所望のアイコン１８ｂを容易に操作できる。
【００５９】
次に、本発明の第２実施形態を説明する。なお、第２実施形態のＭＦＰ１０の電気的構成は、第１実施形態と同様であるため、同一の構成については同一の符号を付して、図示および説明を省略する。また、上記第１実施形態において、ＭＦＰ１０は、ＨＭＤ３０に対応画像４０を表示させた。これに対し、第２実施形態のＭＦＰ１０は、ＭＦＰ１０と通信可能であって、画像を表示可能な外部デバイス（例えば、携帯電話、タブレットＰＣなど）であれば、ＨＭＤ３０であるか否かに関わらず、対応画像４０を表示させる。
【００６０】
また、上記第１実施形態のＭＦＰ１０においては、ユーザ自身が通常モードまたは支援モードのいずれかを選択した。一方、第２実施形態のＭＦＰ１０は、外部デバイスから個体識別情報を受信し、この個体識別情報に基づいて、通常モード、弱視力者モード、色覚異常者モード、知的障害者モードのうち、いずれかを選択する。なお、第２実施形態においては、弱視力者モード、色覚異常者モード、知的障害者モードを総称して、支援モードと称する。また、ＭＦＰ１０の管理者は、外部デバイスの個体識別情報と、選択すべき支援モードとの対応関係を、予めＭＦＰ１０のフラッシュメモリ１４に登録しておくものとする。本第２実施形態においては、個体識別情報と支援モードとの対応関係がフラッシュメモリ１４に登録されている外部デバイスを、以下、「障害者設定がされた外部デバイス」と称する。
【００６１】
図５は、第２実施形態のＭＦＰ１０のＣＰＵ１１が実行するモード変更処理を示すフローチャートである。この処理は、ＭＦＰ１０の電源投入後、繰返し実行される。まず、ＣＰＵ１１は、障害者設定がされた外部デバイスを検出したか否かを判断する（Ｓ５０２）。具体的には、無線通信制御回路１５により無線通信可能な外部デバイスを検出し、その外部デバイスが送信した個体識別情報を受信する。そして、フラッシュメモリ１４に登録された個体識別情報と支援モードとの対応関係を参照し、検出した外部デバイスの個体識別情報に、支援モードが対応付けられているかを判断する。
【００６２】
無線通信可能な外部デバイスを検出しない場合、または、外部デバイスから受信した個体識別情報に支援モードが対応付けられていない場合（Ｓ５０２：Ｎｏ）、ＣＰＵ１１は、通常モードのアイコン選択画像１８ａをＬＣＤ１８に表示させ（Ｓ５２２）、Ｓ５０２に戻り、処理を繰り返す。この場合、外部デバイスに対する表示情報の送信を行わない。
【００６３】
一方、ＭＦＰ１０と無線通信可能な外部デバイスを検出し、その外部デバイスから受信した個体識別情報に、弱視力者モード、色覚異常者モード、知的障害者モードのいずれかが対応付けられている場合（Ｓ５０２：Ｙｅｓ）、ＣＰＵ１１は、個体識別情報に対応する支援モードのモード設定値を、モードメモリ１４ａに記憶する（Ｓ５０４）。
【００６４】
次に、ＣＰＵ１１は、モードメモリ１４ａに設定されたモード設定値を判断する（Ｓ５０６）。弱視力者モードのモード設定値が設定されている場合（Ｓ５０６：弱視力者）、ＣＰＵ１１は、弱視力者モードに対応したアイコン選択画像１８ａを、ＬＣＤ１８に表示させる（Ｓ５０８）。第２実施形態では、図１に図示したように、複数のアイコン１８ｂの色が互いに異なるアイコン選択画像１８ａを、弱視力者モードのアイコン選択画像１８ａとする。すなわち、弱視者モードの場合、ユーザは、アイコン選択画像１８ａが含む複数のアイコン１８ｂを、色で識別できる。
【００６５】
次に、ＣＰＵ１１は、弱視力者モードの対応画像４０を表示させるための表示情報を、外部デバイスに送信する（Ｓ５１０）。具体的には、図１に図示したように、アイコン選択画像１８ａに含まれる各アイコン１８ｂの色と、該アイコン１８ｂに対応する処理の説明画像４０ｂとを、アイコン１８ｂ毎に対応付けて示した対応画像４０を表示させるための表示情報を、無線通信制御回路１５が接続する外部デバイスに送信する。
【００６６】
なお、ＭＦＰ１０から外部デバイスに送信する表示情報は、対応画像４０が含む各要素の位置を指定するためのデザイン情報を含む。本第２実施形態において、このデザイン情報は、外部デバイスの表示可能領域の中心を原点とするＸＹ座標系の座標で、各要素の位置を指定するものとする。より具体的には、デザイン情報が示す各要素の座標は、外部デバイスのＸ方向の解像度（表示に用いられる画素数）を示す変数Ｘmax、および外部デバイスのＹ方向の解像度を示す変数Ｙmaxを用いて、例えば、（ａ・Ｘmax／２，ｂ・Ｙmax／２）のように記述される（ただし、ａ、ｂは任意の係数）。このようにすれば、ＭＦＰ１０は、個々の外部デバイスの解像度を知らなくても、係数を決定するだけで、デザイン情報を生成できる。一方、外部デバイスは、デザイン情報が指定する座標（ａ・Ｘmax／２，ｂ・Ｙmax／２）に基づき、自機の解像度にあった大きさで、対応画像４０を表示できる。
【００６７】
すなわち、携帯電話やタブレットＰＣなど、ＨＭＤ３０以外の外部デバイスの場合、ＭＦＰ１０のＬＣＤ１８に比較して、大きなサイズの画像を表示できる場合がある。その場合、ＭＦＰ１０は、ＬＣＤ１８のアイコン選択画像１８ａよりも大きいサイズの対応画像４０を外部デバイスにおいて表示させるように、表示情報を生成することが好ましい。このようにすれば、高齢者や弱視力者のユーザにとっても見易い対応画像４０を表示させることができる。
【００６８】
一方、色覚異常者モードのモード設定値が設定されている場合（Ｓ５０６：色覚異常者）、ＣＰＵ１１は、色覚異常者モードに対応したアイコン選択画像１８ａを、ＬＣＤ１８に表示させる（Ｓ５１２）。次に、ＣＰＵ１１は、色覚異常者モードの対応画像４０に対応した表示情報を外部デバイスに送信する（Ｓ５１４）。具体的には、アイコン選択画像１８ａに含まれる各アイコン１８ｂに付した記号または図形を示すデータと、該アイコン１８ｂに対応する処理の説明画像４０ｂのテキストデータと、デザイン情報とを含む表示情報を、外部デバイスに送信する。
【００６９】
図６（ａ）は、色覚異常者モードのアイコン選択画像１８ａと、色覚異常者モードの対応画像４０との一例を示す図である。図６（ａ）に示すように色覚異常者モードのアイコン選択画像１８ａは、互いに異なる記号または図形が付された複数のアイコン１８ｂを含む。なお、この色覚異常者モードのアイコン選択画像１８ａにおいて、各アイコン１８ｂは、同一の色で表示されていても良い。
【００７０】
また、図６（ａ）に示すように、色覚異常者モードの対応画像４０は、アイコン選択画像１８ａに含まれる各アイコン１８ｂと同一の記号または図形を付したアイコン４０ａと、該アイコン１８ｂに対応する処理の説明画像４０ｂとを、アイコン１８ｂ毎に対応付けて示す。
【００７１】
色覚異常者モードの対応画像４０によれば、ユーザは、所望の処理に対応する記号または図形を確認し、その記号または図形を手がかりに、所望の処理に対応したアイコン１８ｂを選択できる。したがって、アイコン１８ｂを色で識別することが困難なユーザであっても、所望の処理に対応したアイコン１８ｂを選択できる。
【００７２】
なお、記号または図形に代えて、例えば、数字や文字をアイコン１８ｂに付し、対応画像４０においては、各アイコン１８ｂに付された数字や文字と、各アイコン１８ｂに対応する処理の説明画像４０ｂとを対応付けて示しても良い。
【００７３】
図５に戻り説明する。知的障害者モードのモード設定値が設定されている場合（Ｓ５０６：知的障害者）、ＣＰＵ１１は、知的障害者モードに対応したアイコン選択画像１８ａを、ＬＣＤ１８に表示させる（Ｓ５１６）。次に、ＣＰＵ１１は、知的障害者モードの対応画像４０に対応した表示情報を外部デバイスに送信する（Ｓ５１８）。具体的には、アイコン選択画像１８ａに含まれる各アイコン１８ｂに対応する処理の説明画像４０ｂの画像データと、デザイン情報とを含む表示情報を、外部デバイスに送信する。
【００７４】
図６（ｂ）は、知的障害者モードのアイコン選択画像１８ａと、知的障害者モードの対応画像４０との一例を示す図である。図６（ｂ）に示すように知的障害者モードのアイコン選択画像１８ａは、互いに異なる図柄で構成された複数のアイコン１８ｂを含む。したがって、知的障害者モードのアイコン選択画像１８ａによれば、ユーザは、複数のアイコン１８ｂを図柄で識別できる。
【００７５】
また、図６（ｂ）に示すように、知的障害者モードの対応画像４０は、各アイコン１８ｂよりも詳細な画像で処理を表した説明画像４０ｂを含み、説明画像４０ｂを、アイコン選択画像１８ａにおけるアイコン１８ｂと同じく配置したものである。すなわち、対応画像４０における説明画像４０ｂの配置が、各説明画像４０ｂに対応する処理に対応したアイコン１８ｂの配置を示している。なお、図６（ｂ）に図示した説明画像４０ｂは、詳細な画像と、文字列とを含むものとする。しかしながら、知的障害者モードの説明画像４０ｂは、文字列を含まず、詳細な画像のみを含んでいても良い。
【００７６】
知的障害者モードの対応画像４０によれば、ユーザは所望の処理に対応する説明画像４０ｂを確認し、その説明画像４０ｂの詳細な画像およびその配置を手がかりに、所望の処理に対応したアイコン１８ｂを選択できる。したがって、文字からでは処理の内容を把握することが困難なユーザであっても、所望の処理に対応したアイコン１８ｂを選択できる。また、外部デバイスの解像度が大きい場合、アイコン１８ｂより詳細な画像の説明画像４０ｂを、鮮明に表示させることができる。よって、説明画像４０ｂによって、より分かりやすく処理内容を伝えることができる。
【００７７】
次に、ＣＰＵ１１は、障害者設定がされた外部デバイスが検出されなくなったか否かを判断する（Ｓ５２０）。障害者設定がされた外部デバイスが検出される間（Ｓ５２０：Ｎｏ）、ＣＰＵ１１は、Ｓ５０４から処理を繰り返す。一方、障害者設定がされた外部デバイスが検出されなくなると（Ｓ５２０：Ｙｅｓ）、ＣＰＵ１１は、通常モードのアイコン選択画像１８ａをＬＣＤ１８に表示させ（Ｓ５２２）、Ｓ５０２の処理に戻る。通常モードのアイコン選択画像１８ａは、例えば、弱視力者モードのアイコン選択画像１８ａと同一であっても良い。
【００７８】
なお、図５のフローチャートにおいて、図示および詳細な説明は省略するが、ＬＣＤ１８においてアイコン１８ｂがタッチされた場合、ＣＰＵ１１は、タッチされたアイコン１８ｂに対応する処理を実行し、Ｓ５０２の処理に戻る。そして、新たに表示する次のアイコン選択画像１８ａについても、外部デバイスの個体識別情報に対応した支援モードを適用し、当該モードに対応した対応画像４０を外部デバイスに表示させる。
【００７９】
第２実施形態のモード変更処理によれば、色、記号、図形、図柄、画像など、複数種類の特徴のうちいずれかを個体識別情報に基づいて選択し、選択した特徴を持つ対応画像４０を外部デバイスに表示させるので、高齢者や弱視者だけではなく、色覚異常者や知的障害者など、多様なユーザに対して、各アイコン１８ｂに対応する処理の内容を示すことができる。
【００８０】
また、モード変更処理によれば、選択した特徴に対応する表示態様で、アイコン１８ｂをＬＣＤ１８に表示させるので、対応画像４０によって各アイコン１８ｂに対応する処理を把握したユーザが、ＬＣＤ１８において、所望の処理に対応したアイコン１８ｂを容易に選択できる。
【００８１】
また、モード変更処理によれば、外部デバイスから受信した個体識別情報に基づいて、対応画像４０の複数の特徴（色、記号、図形、図柄、画像など）を選択し、また、その特徴に対応する表示態様でアイコン１８ｂを表示させるので、ＭＦＰ１０の近傍にいるユーザ、すなわち，ＭＦＰ１０を使用する可能性が高いユーザの障害に適切な特徴の対応画像４０、およびアイコン選択画像１８ａを表示させることができる。
【００８２】
上記実施形態において、ＭＦＰ１０が情報処理装置の一例であり、ＨＭＤ３０および外部デバイスがそれぞれ可搬表示装置の一例であり、制御プログラム１２ａが情報処理プログラムの一例である。ＲＯＭ１２が記憶部の一例である。モードメモリ１４ａが特徴情報記憶部の一例である。無線通信制御回路１５が接続部の一例である。操作キー１７、タッチパネル１９が操作入力受付部の一例である。ＬＣＤ１８が表示部の一例である。アイコン１８ｂがシンボル画像の一例である。モード設定値が特徴情報の一例である。個体識別情報が表示装置情報の一例である。Ｓ３０２，Ｓ５０２を実行するＣＰＵ１１が条件判断手段の一例である。Ｓ３０６，Ｓ３１２，Ｓ５０８，Ｓ５１２，Ｓ５１６の処理を実行するＣＰＵ１１が第１表示制御手段の一例である。Ｓ３０８，Ｓ５１０，Ｓ５１４，Ｓ５１８を実行するＣＰＵ１１が第２表示制御手段の一例である。Ｓ３１１の処理を実行するＣＰＵ１１が処理実行部の一例である。Ｓ４０４を実行するＣＰＵ１１が表示実行手段の一例である。Ｓ５０４を実行するＣＰＵ１１が特徴選択手段、表示装置情報受信手段、特徴情報記憶制御手段の一例である。
【００８３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８４】
例えば、上記第１実施形態においては、支援モードで起動するという送信条件が成立した場合（Ｓ３０２の判断が肯定された場合）、また、上記第２実施形態においては、障害者設定がされた外部デバイスを検出するという送信条件が成立した場合（Ｓ５０２の判断が肯定された場合）、対応画像４０を表示させるための表示情報をＨＭＤ３０や外部デバイスへ送信していた。しかしながら、送信条件はこれらに限られるものではない。例えば、通信可能なＨＭＤ３０や外部デバイスを検出した場合には、障害者設定がされているか否かを判断することなく、送信条件が成立するものとしても良い。また、ＭＦＰ１０に備え付けられた外部デバイスやＨＭＤ３０が、所定の設置位置にあるか否かを検知するセンサを設け、使用のために外部デバイスやＨＭＤ３０が設置位置から取り上げられたことを該センサによって検出した場合に、送信条件が成立するものとしても良い。このようにすれば、弱視力者のユーザがＭＦＰ１０を使用するために、ＭＦＰ１０に備え付けられた外部デバイスやＨＭＤ３０を取り上げた場合に、対応画像４０の表示を開始させることができる。外部デバイスとしては、虫眼鏡型の外部デバイスが考えられる。虫眼鏡型の外部デバイスであれば、ユーザは虫眼鏡を取り上げてＬＣＤ１８を覗き見るように使うことで、対応画像４０を視認することができ、使い勝手が良い。また、ユーザがタッチパネル１９にタッチした場合に、送信条件が成立するものとしても良い。このようにすれば、ＭＦＰ１０を操作しようとするユーザが存在する場合に、対応画像４０の表示を開始させることができる。
【００８５】
また、上記実施形態において、ＭＦＰ１０は、送信条件が成立したと判断される場合に、表示情報の送信を開始していた。しかしながら、送信条件が成立したか否かを判断せず、ＭＦＰ１０が起動されている間中、表示情報を送信し続けるように構成しても良い。
【００８６】
また、対応画像４０は、様々な態様に設計変更できる。図７は、変形例のアイコン選択画像１８ａと、変形例の対応画像４０を示す図である。図７に示す変形例の対応画像４０は、説明画像４０ｂを、アイコン１８ｂと同じく配置したものである。すなわち、対応画像４０における各説明画像４０ｂの配置が、各説明画像４０ｂに対応した処理に対応するアイコン１８ｂのＬＣＤ１８における配置を示したものとなるように、説明画像４０ｂを配置している。したがって、変形例の対応画像４０によれば、ユーザは、説明画像４０ｂの配置を手がかりに、ＬＣＤ１８において、所望の処理に対応したアイコン１８ｂを容易に選択できる。例えば、ユーザが、対応画像４０の左上領域に配置された説明画像４０ｂに対応する処理（拡大縮小設定変更）を希望する場合、ユーザは、対応画像４０における説明画像４０ｂの配置に基づき、アイコン選択画像１８ａの左上領域に、所望の処理に対応するアイコン１８ｂが配置されていることを認識できる。
【００８７】
図７に示す変形例において、ＬＣＤ１８には、複数のアイコン１８ｂを互いに異なる色で表示しても良い。このようにすれば、弱視者のユーザであっても、アイコン１８ｂの境界を容易に視認し、所望の処理に対応するアイコン１８ｂを容易に操作できる。なお、複数のアイコン１８ｂを互いに異なる色で表示する場合、対応画像４０においては、各説明画像４０ｂを、対応するアイコン１８ｂと同じ色で表示させても良い。
【００８８】
また、図１に図示したアイコン１８ｂ、あるいは図７に図示したアイコン１８ｂは、各アイコン１８ｂに対応する処理の内容を簡略的に示した文字列を含む。これらの例のように、アイコン１８ｂに文字列を対応付けて示す場合、説明画像４０ｂには、アイコン１８ｂよりも多数の文字を含めることが望ましい。換言すれば、説明画像４０ｂに含まれる文字列の文字数が、ＬＣＤ１８に表示させる文字列の文字数以上である関係が、各処理（すなわち各アイコン１８ｂ）について成立するように、説明画像４０ｂを構成すると良い。このようにすれば、ＬＣＤ１８に表示される文字列よりも詳細な内容を、説明画像４０ｂによりユーザに伝えることができる。
【００８９】
また、例えば、大きさが互いに異なる複数のアイコン１８ｂをＬＣＤ１８に表示し、対応画像４０には、各処理に対応するアイコン１８ｂの大きさと、各処理に対応する説明画像４０ｂとを対応付けて示しても良い。このようにすれば、ユーザは、対応画像４０に基づいて、所望の処理に対応するアイコン１８ｂの大きさを認識でき、ＬＣＤ１８においては、そのアイコン１８ｂの大きさを手がかりに、所望の処理に対応するアイコン１８ｂを選択できる。
【００９０】
また、上記第２実施形態において、ＭＦＰ１０は、外部デバイスに設定された個体識別情報に基づいて、いずれかのモードを選択するものとして説明した。これに代えて、ＭＦＰ１０を使用するユーザが認証などのためにＭＦＰ１０に入力するユーザの識別情報、または、外部デバイスに設定されたユーザの識別情報に基づいて、支援モード（すなわち、対応画像４０の特徴）を選択しても良い。
【００９１】
また、外部デバイスには、支援モードを示すモード設定値が設定されていても良い。その場合、ＭＦＰ１０は、外部デバイスから受信するモード設定値に従って、支援モードを選択しても良い。
【００９２】
また、複数人のユーザによって共有される外部デバイスをＭＦＰ１０が検出した場合、ＭＦＰ１０は、当該外部デバイスについて予め登録されている複数人のユーザの識別情報を読み出してＬＣＤ１８に表示させ、その中から、外部デバイスを使用中のユーザの識別情報をユーザ自身に選択させ、選択されたユーザの識別情報に対応した支援モードを選択しても良い。
【００９３】
また、ユーザ、管理者、販売会社などが、操作キー１７、タッチパネル１９などの操作入力受付部を操作することにより、支援モードのうち、いずれかを手動で設定し、または既に設定されている支援モードを手動で変更できるように構成しても良い。このようにすれば、ユーザが所望する特徴を持つ対応画像４０を、ユーザに視認させることができる。
【００９４】
具体的には、例えば、操作入力受付部が受付けた操作入力が、支援モードを選択する操作入力（すなわち対応画像４０の複数の特徴のいずれかを指定する操作入力）である場合、選択した支援モードを示すモード設定値をモードメモリ１４ａに記憶させる。そして、通信可能な外部デバイスを検出するなどの所定の送信条件が成立すると判断した場合に、モードメモリ１４ａからモード設定値を読み出すことにより、支援モードを選択し、その特徴を持つ対応画像４０を表示させるための表示情報を送信しても良い。
【００９５】
あるいは、支援モードを選択する操作入力を受け付けた場合に、所定の送信条件が成立したものと判断し、該操作入力が指定する特徴に対応する表示態様でアイコン１８ｂを表示させ、且つ、操作入力が指定する特徴に対応した対応画像４０を表示させるための表示情報を、外部デバイスに送信しても良い。
【００９６】
あるいは、上記第１実施形態において、ＣＰＵ１１は、Ｓ３０４にてＨＭＤ３０との間に無線通信２００を確保した後、操作入力が指定する特徴に対応する表示態様でアイコン１８ｂを表示させ（Ｓ３０６）、且つ、操作入力が指定する特徴に対応した対応画像４０を表示させるための表示情報を、外部デバイスに送信しても良い（Ｓ３０８）。
【００９７】
また、上記実施形態では、ＭＦＰ１０が情報処理装置の一例であったが、コピー機、スキャナ、プリンタなど各種の装置が画像処理装置の一例となり得る。
【００９８】
また、タッチパネルを備えない装置、例えば、表示部と操作キーとが並べて設けられており、表示部に表示させたシンボル画像の近傍の操作キーをユーザが押下すると、該シンボル画像に対応する処理を実行するように構成されている装置であっても、本発明を適用可能である。
【００９９】
また、上記実施形態において、説明画像４０ｂは、文字列または画像で構成されるものとして説明したが、説明画像４０ｂは、例えば動画であっても良い。
【０１００】
また、エラーメッセージ等、各種メッセージを構成するテキストデータを表示情報に含めて、ＭＦＰ１０から外部デバイスに送信するように構成しても良い。このようにすれば、弱視力者などであっても、メッセージを容易に認識できる。この場合、ＭＦＰ１０からは、メッセージを特定するメッセージＩＤを送信し、外部デバイスにおいては、予め記憶する各種メッセージのうち、ＭＦＰ１０から送信されるメッセージＩＤに対応したメッセージを表示するように構成しても良い。
【０１０１】
また、上記実施形態において、対応情報メモリ１２ｃが記憶する第１対応情報は、アイコンＩＤと、処理ＩＤとを対応付けた情報であった。しかしながら、第１対応情報は、アイコン１８ｂの画像データと、処理ＩＤとを対応付けた情報であっても良い。また第１対応情報は、アイコン１８ｂの画像データを作成するプログラムコードと、処理ＩＤとの対応関係を示す情報であっても良い。
【０１０２】
また、上記実施形態において、対応情報メモリ１２ｃが記憶する第２対応情報は、説明画像４０ｂのテキストＩＤと、処理ＩＤとを対応付けた情報であった。しかしながら、第２対応情報は、説明画像４０ｂを構成するデータと、処理ＩＤとを対応付けた情報であっても良い。また、第２対応情報は、説明画像４０ｂのデータを作成するプログラムコードと、処理ＩＤとを対応付けた情報であっても良い。
【０１０３】
また、上記実施形態において、ＨＭＤ３０または外部デバイスと、ＭＦＰ１０との間は、無線ＬＡＮにより接続されるものとして説明したが、他の規格の無線通信（例えば、Bluetooth（登録商標））により接続される場合、あるいは有線接続される場合にも、本発明は適用可能である。
【０１０４】
また、ＭＦＰ１０は、外部デバイスから、その外部デバイスの解像度を取得し、取得した解像度に基づいて、対応画像４０および各アイコン４０ａをどのような大きさで表示すべきかを示す表示サイズ情報を生成し、表示情報に含めて送信しても良い。
【０１０５】
また、ＭＦＰ１０は、アイコン１８ｂの画像データを、外部デバイスに送信するように構成しても良い。その場合、外部デバイスは、ＭＦＰ１０から受信したアイコン１８ｂの画像データを用いて、アイコン１８ｂと同じサイズのアイコン４０ａを対応画像４０に含めて表示しても良いし、または、アイコン１８ｂの画像データと共に送信されてくる表示サイズ情報に基づいて拡大したアイコン４０ａを、対応画像４０に含めて表示しても良い。
【０１０６】
また、ＭＦＰ１０は、対応画像４０に対応する画像データ（例えば、ビットマップデータ）を、外部デバイスに送信するように構成しても良い。
【０１０７】
また、上記第１実施形態と第２実施形態とを組み合わせて、本発明を実施しても良い。例えば、支援モードで起動する場合、および、障害者設定がされた外部デバイスを検出した場合のいずれかの送信条件が成立した場合に、表示情報の送信を開始するように構成しても良い。
＜その他＞
＜手段＞
技術的思想１記載の情報処理装置は、複数の処理の各々について、各処理とシンボル画像との対応を示す第１対応情報と、各処理と説明画像との対応を示す第２対応情報とを記憶する記憶部と、画像を表示する表示部と、前記複数の処理に対応するシンボル画像を、前記表示部に表示させる第１表示制御手段と、操作入力を受付ける操作入力受付部と、前記操作入力受付部が受付けた操作入力が、前記表示部が表示するシンボル画像に対応する複数の処理のいずれかを指定する操作入力である場合に、該操作入力が指定した処理を実行する処理実行部と、可搬表示装置との間を通信可能に接続する接続部と、前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、前記表示情報を送信する条件である送信条件の成立を判断する条件判断手段と、を備え、前記第２表示制御手段は、前記送信条件が成立すると前記条件判断手段が判断した場合に、前記接続部が接続している前記可搬表示装置へ前記表示情報を送信する。
技術的思想２記載の情報処理装置は、技術的思想１記載の情報処理装置において、前記対応画像の複数の特徴のいずれかを選択する特徴選択手段を備え、前記第２表示制御手段は、前記接続部が接続した前記可搬表示装置へ、前記特徴選択手段が選択した特徴を持つ対応画像を該可搬表示装置に表示させるための表示情報を送信する。
技術的思想３記載の情報処理装置は、技術的思想２記載の情報処理装置において、前記第１表示制御手段は、前記特徴選択手段が選択した特徴に対応する表示態様で、前記表示部に複数の前記シンボル画像を表示させる。
技術的思想４記載の情報処理装置は、技術的思想２または３記載の情報処理装置において、前記接続部が接続した前記可搬表示装置が送信した表示装置情報を受信する表示装置情報受信手段を備え、前記特徴選択手段は、前記表示装置情報受信手段が前記表示装置情報を受信した場合に、前記表示装置情報に基づいて前記対応画像の複数の特徴のいずれかを選択する。
技術的思想５記載の情報処理装置は、技術的思想２から４のいずれかに記載の情報処理装置において、前記条件判断手段は、前記表示装置情報受信手段が前記表示装置情報を受信した場合に、前記送信条件が成立すると判断する。
技術的思想６記載の情報処理装置は、技術的思想５記載の情報処理装置において、前記第１表示制御手段は、前記送信条件が成立すると前記条件判断手段が判断した場合に、前記特徴選択手段が選択した特徴に対応する表示態様で、前記表示部に複数の前記シンボル画像を表示させる。
技術的思想７記載の情報処理装置は、技術的思想２から６のいずれかに記載の情報処理装置において、前記操作入力受付部が受付けた操作入力が、前記対応画像の複数の特徴のいずれかを指定する操作入力である場合に、該操作入力が指定した特徴を示す特徴情報を特徴情報記憶部に記憶させる特徴情報記憶制御手段を備え、前記特徴選択手段は、前記送信条件が成立すると前記条件判断手段が判断した場合に、前記対応画像の複数の特徴のうち、前記特徴情報が示す特徴を選択し、前記第２表示制御手段は、前記送信条件が成立すると前記条件判断手段が判断した場合に、前記接続部が接続している前記可搬表示装置へ前記特徴選択手段が選択した特徴を持つ対応画像を該可搬表示装置に表示させるための表示情報を送信する。
技術的思想８記載の情報処理装置は、技術的思想７に記載の情報処理装置において、前記第１表示制御手段は、前記操作入力受付部が受付けた操作入力が、前記対応画像の複数の特徴のいずれかを指定する操作入力である場合に、該操作入力が指定する特徴に対応する表示態様で、前記表示部に複数の前記シンボル画像を表示させる。
技術的思想９記載の情報処理装置は、技術的思想１から８のいずれかに記載の情報処理装置において、前記第２表示制御手段は、前記第１表示制御手段が前記表示部に表示させるシンボル画像の色と該シンボル画像に対応する処理の説明画像との対応を示す前記対応画像を、前記可搬表示装置に表示させるための表示情報を送信する。
技術的思想１０記載の情報処理装置は、技術的思想１から９のいずれかに記載の情報処理装置において、前記第２表示制御手段は、前記対応画像が含む前記説明画像の配置が、各説明画像に対応した処理に対応するシンボル画像の前記表示部における配置を示したものとなるように、前記説明画像を配置した前記対応画像を、前記可搬表示装置に表示させる。
技術的思想１１記載の情報処理装置は、技術的思想１から１０のいずれかに記載の情報処理装置において、前記第１表示制御手段は、前記シンボル画像に対応する処理を表す文字列を、各シンボル画像に対応付けて、前記表示部に表示するものであり、前記第２表示制御手段は、前記説明画像に含まれる文字列の文字数が、前記表示部に表示させる文字列の文字数以上である関係が、各処理について成立するように、文字列を含んで構成した前記説明画像を、前記対応画像に含めて表示させるための表示情報を送信する。
技術的思想１２記載の情報処理装置は、技術的思想１から１０のいずれかに記載の情報処理装置において、前記第２表示制御手段は、前記シンボル画像よりも詳細な画像で構成した前記説明画像を、前記対応画像に含めて表示させるための表示情報を送信する。
技術的思想１３記載の情報処理装置は、技術的思想１から１２のいずれかに記載の情報処理装置において、前記可搬表示装置は、前記第２表示制御手段により前記情報処理装置から送られてくる前記表示情報に対応する画像光をユーザの眼に投射して、当該ユーザに、前記対応画像を視認させるものである。
技術的思想１４記載の情報処理装置は、技術的思想１から１２のいずれかに記載の情報処理装置において、前記第１表示制御手段は、複数のシンボル画像を含むアイコン選択画像を、前記表示部に表示するものであり、前記第２表示制御手段は、前記アイコン選択画像よりも大きいサイズの前記対応画像を、前記可搬表示装置に表示させる。
技術的思想１５記載の情報処理プログラムは、情報処理装置が実行するものであって、前記情報処理装置は、複数の処理の各々について、各処理とシンボル画像との対応を示す第１対応情報と、各処理と説明画像との対応を示す第２対応情報とを記憶する記憶部と、画像を表示する表示部と、操作入力を受付ける操作入力受付部と、前記操作入力受付部が受付けた操作入力が、前記表示部が表示するシンボル画像に対応する複数の処理のいずれかを指定する操作入力である場合に、該操作入力が指定した処理を実行する処理実行部と、可搬表示装置との間を通信可能に接続する接続部と、を備え、前記情報処理装置を、前記複数の処理に対応するシンボル画像を、前記表示部に表示させる第１表示制御手段と、前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、前記表示情報を送信する条件である送信条件の成立を判断する条件判断手段として、機能させるものであり、前記第２表示制御手段は、前記送信条件が成立すると前記条件判断手段が判断した場合に、前記接続部が接続している前記可搬表示装置へ前記表示情報を送信する。
技術的思想１６記載の情報処理システムは、情報処理装置と可搬表示装置とを含むものであって、前記情報処理装置は、複数の処理の各々について、各処理とシンボル画像との対応を示す第１対応情報と、各処理と説明画像との対応を示す第２対応情報とを記憶する記憶部と、画像を表示する表示部と、前記複数の処理に対応するシンボル画像を、前記表示部に表示させる第１表示制御手段と、操作入力を受付ける操作入力受付部と、前記操作入力受付部が受付けた操作入力が、前記表示部が表示するシンボル画像に対応する複数の処理のいずれかを指定する操作入力である場合に、該操作入力が指定した処理を実行する処理実行部と、前記可搬表示装置との間を通信可能に接続する接続部と、前記接続部が接続した前記可搬表示装置へ、前記第１表示制御手段が前記表示部に表示させるシンボル画像と該シンボル画像に対応する処理の説明画像との対応を示す対応画像を該可搬表示装置に表示させるための表示情報を送信する第２表示制御手段と、前記表示情報を送信する条件である送信条件の成立を判断する条件判断手段と、を備え、前記第２表示制御手段は、前記送信条件が成立すると前記条件判断手段が判断した場合に、前記接続部が接続している前記可搬表示装置へ前記表示情報を送信するものであって、前記可搬表示装置は、
前記第２表示制御手段により前記情報処理装置から送られてくる前記表示情報を用いて、前記対応画像を表示する表示実行手段を備える。
＜効果＞
技術的思想１記載の情報処理装置によれば、送信条件が成立する場合、表示部に表示させるシンボル画像と該シンボル画像に対応する処理の説明画像との対応を示す対応画像を、可搬表示装置に表示させる。よって、表示部における表示では、シンボル画像に対応する処理をユーザに把握させることが困難な場合であっても、可搬表示装置に表示させる対応画像によって、シンボル画像に対応する処理の説明をユーザに好適に示すことができるという効果がある。
技術的思想２記載の情報処理装置によれば、技術的思想１記載の情報処理装置の奏する効果に加え、選択された特徴を持つ対応画像によって、シンボル画像に対応する処理の説明をユーザに示すことができるという効果がある。
技術的思想３記載の情報処理装置によれば、技術的思想２記載の情報処理装置の奏する効果に加え、選択された特徴に対応する表示態様で、表示部にシンボル画像を表示させるので、対応画像によってシンボル画像に対応する処理を把握したユーザが、表示部において、所望の処理に対応したシンボル画像を容易に選択できるという効果がある。
技術的思想４記載の情報処理装置によれば、技術的思想２または３に記載の情報処理装置の奏する効果に加え、可搬表示装置が送信した表示装置情報に基づいて選択された特徴を持つ対応画像によって、シンボル画像に対応する処理の説明をユーザに示すことができるという効果がある。
技術的思想５記載の情報処理装置によれば、技術的思想２から４のいずれかに記載の情報処理装置の奏する効果に加え、表示装置情報を受信した場合に送信条件が成立したと判断するので、適切な場合に表示情報を送信できるという効果がある。
技術的思想６記載の情報処理装置によれば、技術的思想５記載の情報処理装置の奏する効果に加え、可搬表示装置が送信した表示装置情報に基づいて選択した特徴に対応する表示態様で、表示部に複数のシンボル画像を表示させるので、対応画像によってシンボル画像に対応する処理を把握したユーザが、表示部において所望の処理に対応するシンボル画像を容易に選択できるという効果がある。
技術的思想７記載の情報処理装置によれば、技術的思想２から６のいずれかに記載の情報処理装置の奏する効果に加え、対応画像の複数の特徴のいずれかを指定する操作入力を受け付けた場合、その選択した特徴を持つ対応画像を可搬表示装置に表示させることができるので、ユーザが所望する特徴を持つ対応画像を、ユーザに視認させることができるという効果がある。
技術的思想８記載の情報処理装置によれば、技術的思想７記載の情報処理装置の奏する効果に加え、ユーザが所望する特徴を持つ対応画像に対応する表示態様で、表示部にシンボル画像を表示させることができるという効果がある。
技術的思想９記載の情報処理装置によれば、技術的思想１から８のいずれかに記載の情報処理装置の奏する効果に加え、対応画像により、シンボル画像の色と該シンボル画像に対応する処理の説明画像との対応が示されるので、ユーザは、対応画像が示すシンボル画像の色と説明画像との対応を手がかりに、表示部において、所望の処理に対応したシンボル画像を容易に選択できるという効果がある。
技術的思想１０記載の情報処理装置によれば、技術的思想１から９のいずれかに記載の情報処理装置の奏する効果に加え、ユーザは、対応画像が示す説明画像の配置を手がかりに、表示部において、所望の処理に対応したシンボル画像を容易に選択できるという効果がある。
技術的思想１１記載の情報処理装置によれば、技術的思想１から１０のいずれかに記載の情報処理装置の奏する効果に加え、説明画像に含まれる文字列の文字数が、表示部に表示させる文字列の文字数以上である関係が、各処理について成立するので、表示部に表示させる文字列よりも詳細に処理を説明した説明画像を、可搬表示装置によりユーザに示すことができるという効果がある。
技術的思想１２記載の情報処理装置によれば、技術的思想１から１０のいずれかに記載の情報処理装置の奏する効果に加え、表示部に表示されたシンボル画像よりも詳細な画像で構成した説明画像を、可搬表示装置によりユーザに示すことができるという効果がある。
技術的思想１３記載の情報処理装置によれば、技術的思想１から１２のいずれかに記載の情報処理装置の奏する効果に加え、可搬表示装置は、前記情報処理装置から送られてくる表示情報に対応する画像光をユーザの眼に投射して、当該ユーザに、前記対応画像を視認させるものであるので、高齢者や弱視力者のユーザに対しても、対応画像を視認させることができるという効果がある。
技術的思想１４記載の情報処理装置によれば、技術的思想１から１２のいずれかに記載の情報処理装置の奏する効果に加え、表示部に表示されるアイコン選択画像よりも大きいサイズの対応画像を可搬表示装置に表示させるので、高齢者や弱視力者のユーザにとっても見易いように、対応画像を表示させることができるという効果がある。
技術的思想１５記載の情報処理プログラムによれば、技術的思想１記載の情報処理装置と同様の効果を奏する。
技術的思想１６記載の情報処理システムによれば、技術的思想１記載の情報処理装置と同様の効果を奏する。
【符号の説明】
【０１０８】
１              情報処理システム
１０            ＭＦＰ
１５            無線通信制御回路
１８            ＬＣＤ
１８ａ          アイコン選択画像
１８ｂ          アイコン
３０            ＨＭＤ
４０            対応画像
４０ｂ          説明画像
【図１】
0005316556.tif 000002
【図２】
0005316556.tif 000003
【図３】
0005316556.tif 000004
【図４】
0005316556.tif 000005
【図５】
0005316556.tif 000006
【図６】
0005316556.tif 000007
【図７】
0005316556.tif 000008